(57)【要約】【課題】内側の回転子と外側の固定子を回転機において、組み立て性の向上などを実現することができる回転機を提供する。【解決手段】内側の回転子２と外側の固定子３を備えた回転機１であって、固定子３を構成するステータコア７を圧粉成形体で形成すると共に、ステータコア７が、回転機１の外廓を形成する環状の本体部７ａと、本体部７ａの内側に突出してコイル９とともに突極を形成するティース部７ｂを一体的に備えている構成とし、ステータコア７の寸法精度を高めて組み立て性を向上させた。【選択図】  図１
2005045898.tif 000002
【特許請求の範囲】
【請求項１】
内側の回転子と外側の固定子を備えた回転機であって、固定子を構成するステータコアを圧粉成形体で形成すると共に、ステータコアが、回転機の外廓を形成する環状の本体部と、本体部の内側に突出してコイルとともに突極を形成するティース部を一体的に備えていることを特徴とする回転機。
【請求項２】
ステータコアを軸線方向に少なくとも二分割したことを特徴とする請求項１に記載の回転機。
【発明の詳細な説明】
【０００１】
【発明の属する技術分野】
本発明は、内側の回転子と外側の固定子を備えた回転機に関するものである。
【０００２】
【従来の技術】
従来の回転機としては、例えば、図３及び図４に示すようなものがあった。図３に示す回転機１０１は、内側の回転子１０２と外側の固定子１０３を備えている。回転子１０２は、回転軸１０４の外周にロータコア１０５を備えると共に、ロータコア１０５の外周に複数の磁石１０６を一定間隔で備えている。固定子１０３は、リング状のヨーク１０７の内側に、軸線方向に多数枚の鋼板を積層して成る環状のステータコア１０８を備えており、ステータコア１０８の内側には、複数のティース部１０８ａが一定間隔で設けてあり、各ティース部１０８ａに、インシュレータ１０９を介してコイル１１０が巻回してある。
【０００３】
そして、回転機１０１は、ロータコア１０５及びステータコア１０８の両側をエンドブラケット１１１で閉塞し、この際、両エンドブラケット１１１の外周部をヨーク１０７に連結すると共に、各エンドブラケット１１１と回転軸１０４の間に軸受１１２を介装した構造になっている。
【０００４】
また、図４に示す回転機２０１は、上記回転機と同様に、回転軸１０４及び磁石１０６から成る回転子１０２を備えると共に、ステータコア１０８やコイル１１０等から成る固定子１０３を備えているが、固定子１０３がヨーク（図３の符号１０６）を持たないものとなっている。このため、ステータコア１０８をエンドブラケット２１１で直接保持するようにしており、上記ヨーク分の強度を補うためにエンドブラケット２１１を厚肉化した構造になっている。
【０００５】
【発明が解決しようとする課題】
ところで、上記したような回転機は、家電製品を含む様々な電機に用いられており、これらの電機をより優れたものにするうえで、とくに組み立て性の向上や低コスト化などが要求されている。
【０００６】
【発明の目的】
本発明は、上記従来の状況に鑑みて成されたもので、内側の回転子と外側の固定子を回転機において、主として組み立て性の向上や低コスト化を実現することができる回転機を提供することを目的としている。
【０００７】
【課題を解決するための手段】
本発明の回転機は、請求項１として、内側の回転子と外側の固定子を備えた回転機であって、固定子を構成するステータコアを圧粉成形体で形成すると共に、ステータコアが、回転機の外廓を形成する環状の本体部と、本体部の内側に突出してコイルとともに突極を形成するティース部を一体的に備えている構成とし、請求項２として、ステータコアを軸線方向に少なくとも二分割した構成としており、上記構成をもって従来の課題を可決するための手段としている。
【０００８】
【発明の効果】
本発明の請求項１の回転機によれば、圧粉成形体から成るステータコアに本体部とティース部を一体化したことにより、ステータコアの高い成形精度が得られるので、これにより組み立て性を向上させることができる。また、ステータコアの本体部が回転機の外郭を形成することから、ステータコア自体の強度が充分なものとなって、回転子と固定子の間には薄肉のエンドブラケットを採用することができ、例えばエンドブラケットには安価なプレス成形品の使用が可能になるので、低コスト化も実現することができ、さらには、鋼板を積層して成るステータコアが外部に露出する従来の回転機に比べて、防水処理を施すことがきわめて容易になる。
【０００９】
本発明の請求項２の回転機によれば、請求項１と同様の効果を得ることができるうえに、ステータコアを軸線方向に少なくとも二分割したことから、分割コアの形状が簡素化され、分割コアとなる圧粉成形体の成形をより容易にすることができ、さらなる低コスト化などに貢献することができる。
【００１０】
【実施例】
図１及び図２に示す回転機１は、内側の回転子２と外側の固定子３を備えている。回転子２は、回転軸４の外周にロータコア５を備えると共に、ロータコア５の外周に複数の磁石６を円周方向にわたって等間隔で備えている。
【００１１】
固定子３は、圧粉成形体から成るステータコア７を備えている。すなわち、ステータコア７は、例えば、純鉄粉に無機質材料や絶縁性樹脂をコーティングして成る粉末材料を用い、この粉末材料を金型で所定形状に加圧成形し、その後焼成したものである。このステータコア７は、回転機１の外廓を形成する環状の本体部７ａと、本体部７ａの内側に突出する複数のティース部７ｂを一体的に備えている。本体部７ａは、図１に示すステータコア７の断面がＴ形状を成すように、ティース部７ｂの両側に突出した状態で回転機１の外郭を形成している。各ティース部７ｂは、インシュレータ８を介してコイル９を巻回することで固定子３の突極を形成する。
【００１２】
そして、回転機１は、ロータコア５及びステータコア７の両側をエンドブラケット１０，１１で閉塞し、この際、各エンドブラケット１０，１１の外周部をステータコア７の本体部７ａの両端に連結すると共に、各エンドブラケット１０，１１と回転軸４の間に軸受１２，１３を介装し、一方のエンドブラケット１０の中央穴１０ａから回転軸４の一端側を突出させた構造になっている。
【００１３】
上記の回転機１では、圧粉成形体から成るステータコア７に本体部７ａとティース部７ｂを一体化したことから、ステータコア７の高い成形精度を得ることができ、これにより組み立て性に優れたものとなり、他の部材との組立て精度も高められる。
【００１４】
また、上記の回転機１では、ステータコア７の本体部７ａが回転機１の外郭を形成することから、従来の回転機に用いたヨーク（図３の符号１０７）が不要になり、且つステータコア７自体の強度が充分なものとなる。このため、エンドブラケット１０，１１としては、薄肉のもので充分であって、安価で量産可能なプレス成形品を使用することができ、これにより低コスト化も実現する。
【００１５】
さらに、上記の回転機１では、ステータコア７の本体部７ａが回転機１の外郭を形成することから、鋼板を積層して成るステータコアが外部に露出する従来の回転機（図４参照）に比べて、防水処理を施すことがきわめて容易になり、低コストで高品質の回転機を提供することができる。
【００１６】
そしてさらに、回転機１は、図１中に仮想線で示すように、ステータコア７を軸線方向に二分割した構成にすることも有効である。このように、ステータコア７を二つの分割コア７Ａ，７Ｂに分割すれば、分割コア７Ａ，７Ｂの形状が簡素化されたものとなり、その分割コア７Ａ，７Ｂとなる圧粉成形体をより容易に成形することができる。
【００１７】
なお、本発明の回転機は、その構成の細部が上記実施例のみに限定されるものではなく、各部材の材料や形状を適宜変更することができ、また、ステータコアの分割数を二個以外にすることも可能である。
【図面の簡単な説明】
【図１】本発明の回転機の一実施例を説明する片側省略の断面図である。
【図２】図１に示す回転子及び固定子の片側省略の正面図である。
【図３】従来の回転機を説明する片側省略の断面図である。
【図４】従来の回転機の他の例を説明する片側省略の断面図である。
【符号の説明】
１          回転機
２          回転子
３          固定子
７          ステータコア
７ａ        本体部
７ｂ        ティース部
７Ａ，７Ｂ  分割コア
９          コイル
【図１】
2005045898.tif 000003
【図２】
2005045898.tif 000004
【図３】
2005045898.tif 000005
【図４】
2005045898.tif 000006